(57)【特許請求の範囲】
【請求項１】
制御ユニットとして、
本画像形成装置にインストールされている各アプリケーションの動作についてログ情報を取得するログ情報取得部と、
前記ログ情報取得部によって取得された前記ログ情報に、当該ログ情報がいずれのアプリケーションのものかを示す識別情報を付加する識別情報付加部と、
前記識別情報付加部により前記識別情報が付されたログ情報を、当該識別情報が示すアプリケーションに含まれる公開鍵を用いて暗号化した上で保存するログ情報保存部とを備え、
前記制御ユニットは、当該画像形成装置に記憶媒体が外部接続されていることを検出したとき、当該記憶媒体に記憶されたログ情報取得プログラムに従った機能実行により、
前記各アプリケーションのいずれかのアプリケーションに付された識別情報と同一の識別情報を保有する識別情報保有部と、
前記識別情報保有部に保有されている識別情報の付されたログ情報を、前記ログ情報保存部から抽出するログ情報抽出部と、
前記ログ情報抽出部によって抽出されたログ情報を、前記ログ情報取得プログラムに含まれる、前記公開鍵に対応する秘密鍵を用いて復号化した上で、前記記憶媒体に出力するログ情報出力部と
を更に備える画像形成装置。
【発明の詳細な説明】
【技術分野】
【０００１】
本発明は、画像形成装置に関し、特に、画像形成装置において動作するアプリケーションのログ情報を管理する技術に関する。
【背景技術】
【０００２】
従来から、アプリケーションにより実行した動作についてのログ情報を、内蔵する記憶媒体に記録する画像形成装置が知られている。例えば、下記特許文献１には、ログ情報を記録する画像形成装置であって、エラー発生時等にログ情報を保存する際に、当該ログ情報の保存先が画像形成装置内部の記憶装置に指定されている場合は、暗号化処理を行わずにログ情報を当該内部の記憶装置に保存し、当該ログ情報の保存先が画像形成装置外の外部記憶媒体に指定されている場合は、暗号化処理を行った上で当該外部記憶媒体に出力する技術が示されている。この画像形成装置は、上記暗号化によりログ情報を画像形成装置の外部に出力する場合における技術的な安全性を確保するものである。
【先行技術文献】
【特許文献】
【０００３】
【特許文献１】特開２０１１−１０４７９６号公報
【発明の概要】
【発明が解決しようとする課題】
【０００４】
今日の画像形成装置では、各種のアプリケーションをインストール可能な環境が整備され、画像形成装置の基本動作を制御するファームウェア等に加えて、他者が開発したアプリケーションも動作可能となっている。この画像形成装置において、当該各アプリケーションの動作のログ情報と、ファームウェア等に基づいた画像形成装置の基本動作のログ情報とを管理する場合、全てのログ情報が内部記憶領域に一括して記憶される。このように一元的に管理されるログ情報群からは、上記アプリケーションのうち、特定のアプリケーションのみのログ情報を取り出すことができず、特定のアプリケーションのみのログ情報を確認したい場合であっても、全てのログ情報を取り出さなければならない。このように全てのログ情報が取り出されると、上記各アプリケーションの開発者、及び画像形成装置の製造者は、互いに、他者のアプリケーションのログ情報を知得することになり、各ログ情報についてセキュリティーが確保できない。特許文献１に示される技術は、ログ情報の外部出力時のセキュリティーを暗号化で確保するに過ぎないため、各アプリケーションの開発者又は所有者別にログ情報のセキュリティーを確保することまでは対応できない。
【０００５】
本発明は、上記の問題を解決するためになされたもので、画像形成装置において、複数種のアプリケーションのログ情報が一元管理される場合に、特定のアプリケーションのログ情報のみを取得可能としつつ、アプリケーション毎にログ情報のセキュリティーを確保することを目的とする。
【課題を解決するための手段】
【０００６】
本発明の請求項１に記載の発明は、当該画像形成装置にインストールされている各アプリケーションの動作についてログ情報を取得するログ情報取得部と、
前記ログ情報取得部によって取得された前記ログ情報に、当該ログ情報がいずれのアプリケーションのものかを示す識別情報を付加する識別情報付加部と、
前記識別情報付加部により前記識別情報が付されたログ情報を、当該識別情報が示すアプリケーションに含まれる公開鍵を用いて暗号化した上で保存するログ情報保存部とを備え、
当該画像形成装置に外部接続された記憶媒体に記憶されたログ情報取得プログラムの機能が実行されることにより、
前記各アプリケーションのいずれかのアプリケーションに付された識別情報と同一の識別情報を保有する識別情報保有部と、
前記識別情報保有部に保有されている識別情報の付されたログ情報を、前記ログ情報保存部から抽出するログ情報抽出部と、
前記ログ情報抽出部によって抽出されたログ情報を、前記ログ情報取得プログラムに含まれる秘密鍵を用いて復号化した上で、前記記憶媒体に出力するログ情報出力部と
を更に備える画像形成装置である。
【０００７】
この発明では、ログ情報付加部により、各アプリケーションの動作についてのログ情報に、当該ログ情報がいずれのアプリケーションの動作のものかを示す識別情報が付加された上で、当該ログ情報がログ情報保存部に保存される。そして、ログ情報抽出部が、当該ログ情報保存部から、識別情報保有部に保有されている識別情報の付されたログ情報を抽出し、ログ情報出力部が当該抽出されたログ情報を、画像形成装置に外部接続された記憶領域に格納する。
【０００８】
これら請求項１に記載の発明によれば、画像形成装置において、各アプリケーションの動作についてのログ情報が一元管理される場合であっても、上記識別情報を用いたログ情報の抽出により、特定のアプリケーションのみのログ情報が取得される。このため、画像形成装置の記憶部又はログ情報保存部から、一元管理されている全てのログ情報を取り出さなくても、特定のアプリケーションのログ情報のみを確認でき、各アプリケーションのログ情報を、他のアプリケーションの所有者等に知られないように管理することが可能になる。これにより、画像形成装置において、複数種のアプリケーションのログ情報が一元管理される場合に、特定のアプリケーションのログ情報のみを取得可能としつつ、アプリケーション毎にログ情報のセキュリティーを確保することが可能になる。
【発明の効果】
【０００９】
本発明によれば、画像形成装置において、複数種のアプリケーションのログ情報が一元管理される場合であっても、特定のアプリケーションのログ情報を取得可能としつつ、アプリケーション毎にログ情報のセキュリティーを確保することができる。
【図面の簡単な説明】
【００１０】
【図１】本発明の一実施形態に係る画像形成装置におけるログ情報管理を概念的に示す図である。
【図２】画像形成装置の内部構成の概略を示すブロック図である。
【図３】画像形成装置におけるログ情報管理の処理を示すフローチャートである。
【図４】画像形成装置におけるログ情報出力処理を示すフローチャートである。
【発明を実施するための形態】
【００１１】
以下、本発明の一実施形態に係る画像形成装置、ログ情報取得プログラム、及びログ情報保存プログラムについて図面を参照して説明する。図１は、本発明の一実施形態に係る画像形成装置におけるログ情報管理を概念的に示す図である。
【００１２】
本発明の一実施形態に係る画像形成装置１は、例えば、コピー機能、プリンター機能、スキャナー機能、及びファクシミリ機能等を備えた複合機である。画像形成装置１は、後述するように、ＣＰＵ等からなる制御ユニットと、ＨＤＤ(Hard disk drive)とを備えている。このＨＤＤには、各種のアプリケーションを記憶させることが可能である。画像形成装置１の制御ユニットは、ＨＤＤに記憶されているアプリケーションに従って動作することで、アプリケーションの示す機能を実行する各部として機能する。
【００１３】
上記アプリケーションは、画像形成装置１の制御ユニットで採用されているＯＳ(Operation system )での機能実行が可能となる予め定められたプログラミングにより、画像形成装置１の製造者の他、画像形成装置１の販社、ソフト開発メーカーの開発者によって開発・作成される。以下、これらの者を開発者というものとする。
【００１４】
例えば、図１（Ａ）に示すように、上記予め定められたプログラミングに基づいたアプリケーション(以下、対応アプリケーションという)を作成するためのプログラムであるアプリケーションソフト作成ツール１０が用意されている。アプリケーションソフト作成ツール１０は、コンピューター１１にインストールされて用いられる。このコンピューター１１を用いて、上記開発者が、当該アプリケーションソフト作成ツール１０の機能により、所望の動作を実行させるためのプログラミングを行うと、上記プログラミングに従った対応アプリケーション５０が作成される。
【００１５】
アプリケーションソフト作成ツール１０は、対応アプリケーション５０の作成時に、当該対応アプリケーション５０を他の対応アプリケーション５０と識別するために、例えば、数字、アルファベット、又は記号等からなる識別情報ｉ（図１（Ａ）には数字のみの識別情報を例示）を当該対応アプリケーション５０に付加する。この識別情報は、それぞれの対応アプリケーション５０に異なる識別情報が付加される。すなわち、各対応アプリケーション５０は固有の識別情報を有する。
【００１６】
アプリケーションソフト作成ツール１０は、対応アプリケーション５０を作成したとき、ログ情報取得プログラム２０を更に作成する。ログ情報取得プログラム２０は、作成された対応アプリケーションを画像形成装置１で動作させた場合におけるログ情報を取得するプログラムである。すなわち、操作者が当該アプリケーションソフト作成ツール１０により対応アプリケーションを作成すると、アプリケーションソフト作成ツール１０により、作成した当該対応アプリケーションに対応するログ情報取得プログラム２０も作成される。
【００１７】
このとき、アプリケーションソフト作成ツール１０は、作成された対応アプリケーション５０に付加した識別情報と同一の識別情報ｉを組み込んで、ログ情報取得プログラム２０を作成する。ログ情報取得プログラム２０は、画像形成装置１に記憶されているログ情報群の中から、当該ログ情報取得プログラム２０が保有する識別情報と同一の識別情報が付加されているログ情報を取得する機能を有する。
【００１８】
なお、ログ情報管理に暗号化処理を用いる場合には、上記対応アプリケーション５０及びログ情報取得プログラム２０の作成時には、アプリケーションソフト作成ツール１０は、ログ情報の暗号化処理に用いる公開鍵を付加した上で、対応アプリケーション５０を作成する。なお、アプリケーションソフト作成ツール１０は、作成する対応アプリケーション毎に、異なる公開鍵を付加する。
【００１９】
アプリケーションソフト作成ツール１０は、このように対応アプリケーション５０に公開鍵を付加して作成する場合、この対応アプリケーション５０に対応するログ情報取得プログラム２０を、当該公開鍵を用いて暗号化されたログ情報を解読するための秘密鍵を付加した上で作成する。
【００２０】
上記のようにして作成された対応アプリケーション５０が画像形成装置１にインストールされると、画像形成装置１の制御ユニットは、当該対応アプリケーション５０に従って動作する。これにより、当該制御ユニットは、当該対応アプリケーション５０の示す機能を実行する。一方、画像形成装置１には、ログ情報管理プログラム３０が記憶されており、上記制御ユニットは、ログ情報管理プログラム３０に従って動作することで、ログ情報管理部として機能し、画像形成装置１にインストールされている各対応アプリケーション５０が動作したときに、図１(Ｂ)に示すように、各動作についてログ情報を作成し、当該動作を行った対応アプリケーション５０が有する上記識別情報を付した上で、当該ログ情報を画像形成装置１に内蔵される例えばＨＤＤ(後述)に保存する。
【００２１】
画像形成装置１においては、当該画像形成装置１の基本動作を制御するファームウェアに加えて、対応アプリケーション５０も動作するが、図１（Ｂ）に示すように、保存される各ログ情報には、いずれの対応アプリケーション５０によるものか、画像形成装置１のファームウェアによるものかに応じて、ログ情報管理プログラム３０により、それぞれに固有の識別情報ｉが付加されて保存される。付加される当該識別情報は、対応アプリケーション及びファームウェアに付加されている識別情報と同一の識別情報である。
【００２２】
一方、ログ情報取得プログラム２０は、図１（Ｃ）に示すように、ＵＳＢメモリー２に記憶されている。画像形成装置１の制御ユニットは、後述するＵＳＢインターフェイスにＵＳＢメモリー２が接続されたことを検出すると、例えば、当該制御ユニットのＢＩＯＳ設定によりＵＳＢメモリー２からのＢＯＯＴでログ情報取得プログラム２０を起動する。ＵＳＢメモリー２に記憶されているログ情報取得プログラム２０は、画像形成装置１の制御部からのＢＯＯＴを受けて、例えばＡＵＴＯＲＵＮにより機能実行を開始する。これにより、画像形成装置１の制御ユニットは、ログ情報取得部として機能し、ログ情報取得プログラム２０に従って、当該ログ情報取得プログラム２０が有している識別情報と同一の識別情報を有するログ情報を、上記ＨＤＤから抽出して、ＵＳＢメモリー２に出力し、ＵＳＢメモリー２内の記憶領域に記憶させる。
【００２３】
次に、本発明の一実施形態に係る画像形成装置１の構成を説明する。図２は画像形成装置１の内部構成の概略を示すブロック図である。
【００２４】
画像形成装置１は、制御ユニット１００と、画像読取部１１０と、画像メモリー１２０と、画像形成部１３０とを有する。
【００２５】
画像読取部１１０は、原稿画像を読み取るスキャナー等からなる。
【００２６】
画像メモリー１２０は、画像読取部１１０によって読み取られた原稿のデータ等を一時的に記憶したり、画像形成部１３０の印刷対象となるデータを一時的に保存する領域となる。
【００２７】
画像形成部１３０は、電子写真方式による帯電装置、露光装置、現像装置、転写装置、及び定着装置等を備える。画像形成部１３０は、ネットワーク接続されたコンピューターから受信した印刷対象データや、画像読取部１１０により得られた原稿読取データ等を画像形成する。
【００２８】
また、画像形成装置１は、ファクシミリ通信に必要な諸機能を実行し、公衆回線を通じて外部のファクシミリ装置から画像データを受信するファクシミリ通信部１４０と、画像形成又は送信スタートキー、テンキー及び短縮番号キー等からなり、ユーザーから各種操作指示（例えば、後述する識別番号の入力や、下記ＨＤＤ１７０に一時的に保存されている印刷データの印刷を実行する印刷実行指示等)の入力を受け付ける操作部４７と、ユーザーへの操作案内等を表示するＬＣＤ（Liquid Crystal Display）等からなる表示部１５０とを備える。なお、この表示部１５０がタッチパネル機能を備えることにより、ユーザーからの各種操作指示を受け付けるようにしてもよい。
【００２９】
さらに、画像形成装置１は、画像読取部１１０によって読み取られた原稿画像データ等を記憶するＨＤＤ（ハードディスク）１７０を有している。本実施形態では、ＨＤＤ１７０は、上述したアプリケーションソフト作成ツール１０で作成した対応アプリケーションと、後述するログ情報管理プログラムが記憶される。なお、ログ情報管理プログラムは図略のＲＯＭに記憶されていてもよい。本実施形態では、ＨＤＤ１７０に記憶される例を示す。
【００３０】
制御ユニット１００は、ＣＰＵ等からなる。制御ユニット１００は、制御部１０１と、ログ情報保存部３００とを備えている。なお、ＨＤＤ１７０には、本発明の一実施形態であるログ情報管理プログラム３０が記憶されており、制御ユニット１００は、コンピューターとして、ログ情報管理プログラム３０に従って動作することにより、ログ情報保存部３００としてのログ情報取得部１０２、識別情報付加部１０３、及びログ情報保存部１０４として機能する。但し、制御ユニット１００のこれらログ情報管理プログラム３０に従って動作することにより、ログ情報保存部３００としてのログ情報取得部１０２、識別情報付加部１０３、及びログ情報保存部１０４は、ログ情報管理プログラム３０に基づく動作にはよらずに、それぞれハード回路により構成することも可能である。
【００３１】
制御部１０１は、画像形成装置１が備える各部の動作制御を司る。
【００３２】
ログ情報取得部１０２は、画像形成装置１で実行される各対応アプリケーション５０の動作についてログ情報を取得する。例えば、ログ情報取得部１０２は、制御ユニット１００が対応アプリケーション５０に従って動作を行った場合に、当該動作について、動作種別情報、実行日時等からなるログ情報を作成する。
【００３３】
識別情報付加部１０３は、ログ情報取得部１０２によって取得されたログ情報に、当該ログ情報がいずれのアプリケーションの動作についてのものであるかを示す識別情報を付加する。上述したように、画像形成装置１においては、当該画像形成装置１の基本動作を制御するファームウェアに加えて、対応アプリケーションも動作するが、識別情報付加部１０３は、対応アプリケーション又はファームウェアからこれらに付加されている識別情報を取得して、保存される各ログ情報には、動作を行った対応アプリケーション又はファームウェアに付加されている識別情報と同一の識別情報を付加する。
【００３４】
ログ情報保存部１０４は、識別情報付加部１０３により識別情報が付加されたログ情報を保存する。本実施形態では、ログ情報管理プログラム３０に従って、制御ユニット１００は、ログ情報保存部１０４として、ＨＤＤ１７０の一部領域に、当該識別情報が付加されたログ情報を記憶させる。
【００３５】
また、制御ユニット１００は、画像形成装置１に、ログ情報取得プログラム２０が記憶されているＵＳＢメモリー２が接続された場合には、ログ情報取得部２００を備える。操作者は、画像形成装置１に接続される外部記憶媒体としてのＵＳＢメモリー２に、本発明の一実施形態に係るログ情報取得プログラム２０を記憶させておき、当該ＵＳＢメモリー２を画像形成装置１のＵＳＢインターフェイス１６０に接続すると、画像形成装置１の制御ユニット１００がＵＳＢメモリー２の接続を検出し、制御ユニット１００は、そのＢＩＯＳ設定によりＵＳＢメモリー２からのＢＯＯＴでログ情報取得プログラム２０を起動する。ＵＳＢメモリー２に記憶されているログ情報取得プログラム２０は、画像形成装置１の制御部からのＢＯＯＴを受けて、例えばＡＵＴＯＲＵＮにより機能実行を開始する。これにより、制御ユニット１００は、ログ情報取得部２００としての識別情報保有部１０５、ログ情報抽出部１０６、及びログ情報出力部１０７として機能する。
【００３６】
すなわち、画像形成装置１は、上記ログ情報取得プログラム２０が記憶されているＵＳＢメモリー２を、画像形成装置１のＵＳＢインターフェイス１６０に接続することにより、ログ情報取得部２００及びログ情報保存部３００を有するものとなる。
【００３７】
識別情報保有部１０５は、画像形成装置１で実行可能とされている対応アプリケーション５０のうち、予め定められた１つの対応アプリケーション５０に付加された識別情報と同一の識別情報を保有する。
【００３８】
ログ情報抽出部１０６は、識別情報保有部１０５に保有されている識別情報の付されたログ情報を、画像形成装置１のログ情報保存部１０４としてのＨＤＤ１７０から抽出する。
【００３９】
ログ情報出力部１０７は、ログ情報抽出部１０６によって抽出されたログ情報を、画像形成装置１に外部接続されたＵＳＢメモリー２（記憶媒体の一例）に出力する。
【００４０】
すなわち、操作者は、アプリケーションソフト作成ツール１０により作成した対応アプリケーション５０の動作についてログ情報を画像形成装置１から取得する場合、当該対応アプリケーション５０に付加されている識別情報と同一の識別情報を保有するログ情報取得プログラム２０が記憶されているＵＳＢメモリー２を、画像形成装置１のＵＳＢインターフェイス１６０に接続する。これにより、識別情報保有部１０５、ログ情報抽出部１０６、及びログ情報出力部１０７によって、当該識別情報が付加されているログ情報がＵＳＢメモリー２側に取得される。
【００４１】
次に、画像形成装置１におけるログ情報管理を説明する。図３は画像形成装置１におけるログ情報管理の処理を示すフローチャートである。
【００４２】
画像形成装置１において、ログ情報取得部１０２は、制御ユニット１００が対応アプリケーション５０に従って動作を行ったとき(Ｓ１でＹＥＳ)、当該動作についてのログ情報を取得する（Ｓ２）。すなわち、ログ情報取得部１０２は、当該対応アプリケーション５０の動作に基づいて、当該動作の内容を示す動作種別情報と、動作日時等からなるログ情報を作成する。
【００４３】
続いて、識別情報付加部１０３は、当該動作を行った対応アプリケーション５０から、当該対応アプリケーション５０が保有する固有の識別情報を取得し、当該識別情報を、上記取得されたログ情報に付加する(Ｓ３)。
【００４４】
この後、ログ情報保存部１０４が、当該識別情報の付加されたログ情報をＨＤＤ１７０に保存する（Ｓ４）。
【００４５】
なお、対応アプリケーション５０のログ情報を暗号化処理した上で管理する場合は、Ｓ４において、ログ情報保存部１０４は、当該動作を行った対応アプリケーション５０から固有の公開鍵を取得し、当該公開鍵を用いて上記ログ情報を暗号化した上でＨＤＤ１７０に保存する。
【００４６】
次に、画像形成装置１におけるログ情報出力処理を説明する。図４は、画像形成装置１におけるログ情報出力処理を示すフローチャートである。
【００４７】
操作者が、画像形成装置１のＵＳＢインターフェイス１６０にＵＳＢメモリー２を接続し、制御ユニット１００が当該接続を検出すると（Ｓ１１でＹＥＳ）、制御ユニット１００は、ＵＳＢメモリー２のログ情報取得プログラム２０を起動させる（Ｓ１２）。ログ情報取得プログラム２０は、画像形成装置１の制御部からのＢＯＯＴを受けて、ＡＵＴＯＲＵＮにより機能実行を開始する。これにより、制御ユニット１００は、ログ情報取得部２００として機能する。
【００４８】
操作者は、取得したいログ情報についての対応アプリケーション５０に付加された識別情報と同一の識別情報を保有するログ情報取得プログラム２０が記憶されているＵＳＢメモリー２を画像形成装置１のＵＳＢインターフェイス１６０に接続する。
【００４９】
そして、ログ情報抽出部１０６は、識別情報保有部１０５に記憶されている識別情報を用いて、当該識別情報と同一の識別情報が付されているログ情報を、ログ情報保存部１０４としてのＨＤＤ１７０に記憶されているログ情報群から抽出する（Ｓ１３）。
【００５０】
ログ情報出力部１０７は、ログ情報抽出部１０６によって抽出された上記ログ情報を、ＵＳＢインターフェイス１６０を介して、ＵＳＢメモリー２に出力し(Ｓ１４)、ＵＳＢメモリー２内の記憶領域に記憶させる。
【００５１】
なお、対応アプリケーション５０についての動作のログ情報を暗号化処理した上で管理する場合、Ｓ１４において、ログ情報出力部１０７は、ログ情報取得プログラム２０が保有している秘密鍵を用いて、当該ログ情報を解読して復号化を行った上で、当該ログ情報をＵＳＢメモリー２に出力する。
【００５２】
このようなログ情報管理及びログ情報出力によれば、画像形成装置１において実行される各対応アプリケーション５０の動作についてのログ情報が画像形成装置１において一元管理される場合であっても、上記識別情報を用いたログ情報の抽出により、画像形成装置１からＵＳＢメモリー２には、識別情報が一致する特定の対応アプリケーション５０のログ情報のみが取得される。
【００５３】
このため、画像形成装置１のＨＤＤ１７０から、一元管理されている全てのログ情報を取り出さなくても、特定の対応アプリケーション５０のみのログ情報を確認可能となるため、各対応アプリケーション５０の動作についてのログ情報を、他の対応アプリケーション５０の所有者等の第三者に知られないように管理することが可能になる。
【００５４】
これにより、画像形成装置１において、複数種の対応アプリケーション５０のログ情報が一元管理される場合であっても、特定の対応アプリケーション５０のログ情報のみを取得可能としつつ、対応アプリケーション５０毎にログ情報のセキュリティーを確保することが可能になる。
【００５５】
また、対応アプリケーション５０による動作のログ情報の取得時に、画像形成装置１のファームウェアによる動作のログ情報が持ち出されるおそれも低減するため、画像形成装置１の製造者は、画像形成装置１の動作についてのログ情報の漏洩を防止できると共に、他者に対しては、画像形成装置１での対応アプリケーション５０の利用を促進させつつ、画像形成装置１の製造者及び当該他者間でのログ情報に関するセキュリティーも確保することが可能になる。
【００５６】
なお、上記のようにログ情報の暗号化及び復号化の処理を行う場合、ＵＳＢメモリー２へのログ情報の取得に用いられたログ情報取得プログラム２０が、取得対象とするログ情報の対応アプリケーション５０と同一の識別情報を保有していることを条件として、当該対応アプリケーションの動作についてのログ情報が、対応する秘密鍵により解読された上で、画像形成装置１のＨＤＤ１７０からＵＳＢメモリー２側に取り込まれるようにできる。これにより、更にセキュリティーを高めて上記ログ情報管理を行うことが可能になる。
【００５７】
なお、本発明は上記実施の形態の構成に限られず種々の変形が可能である。例えば、上記実施形態では、暗号化処理に公開鍵及び秘密鍵を用いるとしているが、これに代えて、他の暗号化処理を用いてもよい。
【００５８】
また、図１乃至図４を用いて上記実施形態により示した構成及び処理は、本発明の一実施形態に過ぎず、本発明を当該構成及び処理に限定する趣旨ではない。
【符号の説明】
【００５９】
１        画像形成装置
２        ＵＳＢメモリー
１０      アプリケーションソフト作成ツール
１００    制御ユニット
１０１    制御部
３００    ログ情報保存部
１０２    ログ情報取得部
１０３    識別情報付加部
１０４    ログ情報保存部 
２００    ログ情報取得部
１０５    識別情報保有部
１０６    ログ情報抽出部
１０７    ログ情報出力部
１１      コンピューター
２０      ログ情報取得プログラム
３０      ログ情報管理プログラム
５０      対応アプリケーション
【図１】
0005806970.tif 000002
【図２】
0005806970.tif 000003
【図３】
0005806970.tif 000004
【図４】
0005806970.tif 000005